(57)【要約】【課題】コストを減少できる信号変換ユニットを提供する。【解決手段】信号変換ユニット４は、複数の照明器具６を制御可能な照明制御ユニット５に接続可能である。信号変換ユニット４は、通信部４１と変換部４２とを備える。通信部４１は、照明器具６の制御情報を示す第１制御信号を受信する。変換部４２は、第１制御信号を照明制御ユニット５が認識可能な第２制御信号に変換する。信号変換ユニット４は、報知部４３をさらに備える。報知部４３は、信号変換ユニット４の通電状態及び／又は通信状態を報知する。【選択図】図２
2018147880.tif 000002
【特許請求の範囲】
【請求項１】
複数の照明器具を制御可能な照明制御ユニットに接続可能な信号変換ユニットであって、
前記照明器具の制御情報を示す第１制御信号を受信する通信部と、
前記第１制御信号を前記照明制御ユニットが認識可能な第２制御信号に変換する変換部と
を備える、信号変換ユニット。
【請求項２】
前記信号変換ユニットの通電状態及び／又は通信状態を報知する報知部をさらに備える、請求項１に記載の信号変換ユニット。
【請求項３】
前記通信部は、無線通信を介して前記第１制御信号を受信する、請求項１または請求項２に記載の信号変換ユニット。
【請求項４】
前記信号変換ユニットの周囲環境の変化又は赤外線を検知するセンサーをさらに備え、
前記変換部は、前記センサーの検知信号に基づいて、前記照明器具の制御情報を示す第３制御信号を生成する、請求項１から請求項３のいずれか１項に記載の信号変換ユニット。
【請求項５】
信号変換ユニットと、
照明制御ユニットと
を備え、
前記信号変換ユニットは、
照明器具の制御情報を示す第１制御信号を受信する通信部と、
前記第１制御信号を前記照明制御ユニットが認識可能な第２制御信号に変換する変換部と
を含み、
前記通信部は、前記第２制御信号を前記照明制御ユニットに送信し、
前記照明制御ユニットは、
前記第２制御信号を受信する通信部と、
前記第２制御信号に従って、前記照明器具を制御する制御部と
を含む、照明制御装置。
【請求項６】
前記照明制御ユニットと前記信号変換ユニットとを収容する筐体をさらに備える、請求項５に記載の照明制御装置。
【請求項７】
信号変換ユニットと、
照明制御ユニットと、
照明器具と
を備え、
前記信号変換ユニットは、
前記照明器具の制御情報を示す第１制御信号を受信する通信部と、
前記第１制御信号を前記照明制御ユニットが認識可能な第２制御信号に変換する変換部と
を含み、
前記通信部は、前記第２制御信号を前記照明制御ユニットに送信し、
前記照明制御ユニットは、
前記第２制御信号を受信する通信部と、
前記第２制御信号に従って、前記照明器具を制御する制御部と
を含み、
前記照明器具は、前記制御部に従って点灯する、照明システム。
【発明の詳細な説明】
【技術分野】
【０００１】
本発明は、信号変換ユニット、照明制御装置および照明システムに関する。
【背景技術】
【０００２】
特許文献１に記載された照明器具は、通信部と、信号変換部（信号変換ユニット）と、点灯回路部と、光源とを有する。通信部は、外部機器から照明光の制御を行う情報を含む制御信号を受信する。信号変換部は、通信部が受信した制御信号を点灯制御信号に変換する。点灯回路部は、点灯制御信号に基づいて光源を点灯させる。
【先行技術文献】
【特許文献】
【０００３】
【特許文献１】特開２０１５−１０９１９６号公報
【発明の概要】
【発明が解決しようとする課題】
【０００４】
しかしながら、特許文献１では、制御信号を送信する１つの外部機器に対して、複数の照明器具が接続されている。そして、複数の照明器具の各々が信号変換部を有している。従って、特許文献１では、照明器具ごとに信号変換部を取り付ける必要があり、コストが増大する。
【０００５】
本発明は、上記問題に鑑みてなされたものであり、その目的は、コストを減少できる信号変換ユニット、照明制御装置および照明システムを提供することにある。
【課題を解決するための手段】
【０００６】
本願に開示する信号変換ユニットは、複数の照明器具を制御可能な照明制御ユニットに接続可能である。信号変換ユニットは、通信部と、変換部とを備える。通信部は、前記照明器具の制御情報を示す第１制御信号を受信する。変換部は、前記第１制御信号を前記照明制御ユニットが認識可能な第２制御信号に変換する。
【０００７】
本願に開示する信号変換ユニットは、前記信号変換ユニットの通電状態及び／又は通信状態を報知する報知部をさらに備えることが好ましい。
【０００８】
本願に開示する信号変換ユニットにおいて、前記通信部は、無線通信を介して前記第１制御信号を受信することが好ましい。
【０００９】
本願に開示する信号変換ユニットは、前記信号変換ユニットの周囲環境の変化又は赤外線を検知するセンサーをさらに備えることが好ましい。前記変換部は、前記センサーの検知信号に基づいて、前記照明器具の制御情報を示す第３制御信号を生成することが好ましい。
【００１０】
本願に開示する照明制御装置は、信号変換ユニットと、照明制御ユニットとを備える。前記信号変換ユニットは、通信部と変換部とを含む。通信部は、照明器具の制御情報を示す第１制御信号を受信する。変換部は、前記第１制御信号を前記照明制御ユニットが認識可能な第２制御信号に変換する。前記通信部は、前記第２制御信号を前記照明制御ユニットに送信する。前記照明制御ユニットは、通信部と制御部とを含む。通信部は、前記第２制御信号を受信する。制御部は、前記第２制御信号に従って、前記照明器具を制御する。
【００１１】
本願に開示する照明制御装置は、前記照明制御ユニットと前記信号変換ユニットとを収容する筐体をさらに備えることが好ましい。
【００１２】
本願に開示する照明システムは、信号変換ユニットと、照明制御ユニットと、照明器具とを備える。前記信号変換ユニットは、通信部と変換部とを含む。通信部は、前記照明器具の制御情報を示す第１制御信号を受信する。変換部は、前記第１制御信号を前記照明制御ユニットが認識可能な第２制御信号に変換する。前記通信部は、前記第２制御信号を前記照明制御ユニットに送信する。前記照明制御ユニットは、通信部と制御部とを含む。通信部は、前記第２制御信号を受信する。制御部は、前記第２制御信号に従って、前記照明器具を制御する。前記照明器具は、前記制御部に従って点灯する。
【発明の効果】
【００１３】
本発明によれば、コストを減少できる。
【図面の簡単な説明】
【００１４】
【図１】本発明の実施形態に係る電力システムを示す図である。
【図２】本発明の実施形態に係る照明システムを示す図である。
【図３】本発明の実施形態の第１変形例に係る照明システムの通信端末を示す図である。
【図４】本発明の実施形態の第２変形例に係る照明システムの通信端末を示す図である。
【図５】本発明の実施形態の第３変形例に係る照明システムの通信端末を示す図である。
【図６】本発明の実施形態の第４変形例に係る照明システムの通信端末を示す図である。
【発明を実施するための形態】
【００１５】
以下、図面を参照して本発明の実施形態を説明する。ただし、本発明は以下の実施形態に限定されない。図中、同一又は相当部分については同一の参照符号を付して説明を繰り返さない。図面は、理解しやすくするために、それぞれの構成要素を主体に模式的に示している。
【００１６】
図１及び図２を参照して、本発明の実施形態に係る電力システム１００について説明する。図１は、電力システム１００を示す図である。図２は、照明システム２００を示す図である。図１に示すように、電力システム１００は、所定の施設内の電力に関するシステムである。施設は、例えば、住宅のような建造物、ビル、工場、又は駅である。本実施形態において、電力システム１００は、住宅内の電力に関するシステムである。また、本実施形態において、電力システム１００は、照明システム２００と、分電盤７と、複数の家電８と、通信端末９とを備える。
【００１７】
照明システム２００は、システム制御装置１と、ルーター２と、照明制御装置３と、複数の照明器具６とを備える。ルーター２は、例えばホームネットワークに含まれる。ホームネットワークは、例えば、家庭内に構築された通信システムのＬＡＮ（Ｌｏｃａｌ  Ａｒｅａ  Ｎｅｔｗｏｒｋ）環境のことを示す。本実施形態において、ルーター２は、無線通信を介して、照明制御装置３、分電盤７、及び通信端末９の各々と接続する。なお、ルーター２は、有線通信を介して、照明制御装置３、分電盤７、及び通信端末９の各々と接続してもよい。
【００１８】
システム制御装置１は、例えば、所定のネットワークに接続することが可能な端末である。本実施形態において、システム制御装置１は、ルーター２を含むホームネットワークに接続されている。システム制御装置１は、照明器具６の制御情報を示す第１制御信号及び／又は家電８の制御情報を示す家電用制御信号を生成する。具体的には、システム制御装置１は、第１通信プロトコルに準拠した通信を実行する。従って、システム制御装置１は、第１通信プロトコルに準拠した信号形式を有する第１制御信号及び／又は家電用制御信号を生成する。
【００１９】
システム制御装置１は、例えば、ＨＥＭＳ（Ｈｏｍｅ  Ｅｎｅｒｇｙ  Ｍａｎａｇｅｍｅｎｔ  Ｓｙｓｔｅｍ）コントローラーとして機能する。本実施形態において、システム制御装置１は、ルーター２を介して照明制御装置３、分電盤７、及び／又は通信端末９と接続する。
【００２０】
照明制御装置３は、単数又は複数の照明器具６を制御可能である。従って、照明制御装置３は、単数又は複数の照明器具６を制御する。照明制御装置３は、信号変換ユニット４と、照明制御ユニット５とを含む。信号変換ユニット４は、照明制御ユニット５に接続可能である。従って、信号変換ユニット４は、照明制御ユニット５に接続する。本実施形態では、信号変換ユニット４と照明制御ユニット５とは有線接続される。
【００２１】
図２に示すように、信号変換ユニット４は、通信部４１と、変換部４２とを備える。通信部４１は、システム制御装置１から、ルーター２を介して第１制御信号を受信する。すなわち、通信部４１は、無線通信を介して第１制御信号を受信する。変換部４２は、第１制御信号を照明制御ユニット５が認識可能な第２制御信号に変換する。具体的には、照明制御ユニット５は、第１通信プロトコルと異なる第２通信プロトコルに準拠した通信を実行する。従って、変換部４２は、第１制御信号を、第２通信プロトコルに準拠した信号形式を有する第２制御信号に変換する。そして、通信部４１は、第２制御信号を照明制御ユニット５に送信する。
【００２２】
照明制御ユニット５は、単数又は複数の照明器具６を制御可能である。従って、照明制御ユニット５は、単数又は複数の照明器具６を制御する。具体的には、照明制御ユニット５は、例えば、単数又は複数の照明器具６の調色及び／又は調光を制御する。照明制御ユニット５は、通信部５１と、制御部５２とを含む。通信部５１は、信号変換ユニット４から、有線通信を介して第２制御信号を受信する。制御部５２は、第２制御信号に従って、複数の照明器具６を制御する。
【００２３】
照明器具６は、例えば、ダウンライト又は間接照明である。照明器具６は、制御部５２に従って点灯する。
【００２４】
分電盤７は、例えば、分岐回路、通信機器、及び制御部を備える。分電盤７の分岐回路は、システム制御装置１、ルーター２、信号変換ユニット４、照明制御ユニット５、及び複数の家電８の各々に外部電力を供給する。照明器具６には、照明制御ユニット５を介して外部電力が供給される。分電盤７の通信機器は、システム制御装置１から、ルーター２を介して家電８の制御情報を示す家電用制御信号を受信する。そして、分電盤７の制御部は、家電用制御信号に従って、家電８を制御する。
【００２５】
家電８は、例えば、空調機器（エアコン）、テレビ、又は冷蔵庫である。家電８は、分電盤７の制御部に従って動作する。
【００２６】
通信端末９は、例えば、ユーザーが操作可能なコンピューターである。具体的には、通信端末９は、例えば、スマートフォン、タブレットコンピューター、又はパーソナルコンピューターのような移動型のコンピューターである。通信端末９は、例えばルーター２に接続する。従って、通信端末９は、ルーター２を介して、システム制御装置１、照明制御装置３及び／又は分電盤７と接続できる。
【００２７】
通信端末９は、例えば、ルーター２を介して、第１制御信号及び／又は家電用制御信号を生成するようにシステム制御装置１を制御してもよい。この場合、システム制御装置１は、通信端末９に従って第１制御信号及び／又は家電用制御信号を生成する。また、通信端末９は、例えば、照明器具６の制御情報を示す第１制御信号又は家電８の制御情報を示す家電用制御信号を生成してもよい。そして、通信端末９は、システム制御装置１を介することなく、ルーター２を介して第１制御信号を信号変換ユニット４の通信部４１に送信してもよい。また、通信端末９は、システム制御装置１を介することなく、ルーター２を介して家電用制御信号を分電盤７に送信してもよい。さらに、通信端末９は、例えば、照明器具６の制御情報を示す第２制御信号を生成してもよい。この場合、通信端末９は、ルーター２を介して信号変換ユニット４の通信部４１に第２制御信号を送信する。そして、信号変換ユニット４の通信部４１は、第２制御信号を照明制御ユニット５に転送する。
【００２８】
電力システム１００の外部の通信端末１０は、外部ネットワーク１１を介してルーター２と接続する。通信端末１０は、例えば、ユーザーが操作可能なコンピューターである。具体的には、外部の通信端末１０は、例えば、スマートフォン、タブレットコンピューター、又はパーソナルコンピューターのような移動型のコンピューターである。また、外部ネットワーク１１は、例えばインターネット及びＬＡＮを含む。
【００２９】
通信端末１０は、例えば、外部ネットワーク１１及びルーター２を介して、第１制御信号及び／又は家電用制御信号を生成するように、システム制御装置１を制御する。また、通信端末１０は、例えば、第１制御信号及び／又は家電用制御信号を生成してもよい。そして、通信端末１０は、システム制御装置１を介することなく、外部ネットワーク１１及びルーター２を介して信号変換ユニット４に第１制御信号を送信してもよい。また、通信端末１０は、システム制御装置１を介することなく、外部ネットワーク１１及びルーター２を介して分電盤７に家電用制御信号を送信してもよい。
【００３０】
以上、図１及び図２を参照して説明したように、本実施形態によれば、信号変換ユニット４は、照明器具６の制御情報を示す第１制御信号を、複数の照明器具６を制御可能な照明制御ユニット５が認識可能な第２制御信号に変換する。従って、複数の照明器具ごとに信号変換ユニットを設けることなく、複数の照明器具６を制御できる。その結果、コストを減少できる。
【００３１】
また、本実施形態によれば、通信端末９は、第１制御信号を生成し、第１制御信号を信号変換ユニット４に送信する。従って、システム制御装置１を介さず、ユーザーが直接的に照明器具６を制御できる。
【００３２】
さらに、本実施形態によれば、通信端末９は、第１制御信号を生成するようにシステム制御装置１を制御する。従って、ユーザーは、通信端末９を操作することによって照明器具６を制御できる。例えば、通信端末９が日常的にユーザーに使用されるスマートフォンである場合、ユーザーは、日常的な操作と同様に通信端末９を操作することによって、第１制御信号を生成するようにシステム制御装置１を制御することができる。その結果、ユーザーにとっての利便性が高くなる。
【００３３】
さらに、本実施形態によれば、通信端末９は、システム制御装置１を介することなく、第１制御信号を信号変換ユニット４に送信することができる。従って、ユーザーは、システム制御装置１を操作することなく、通信端末９を操作することで、照明器具６を制御できる。その結果、ルーター２の電波が通信端末９に届く限り、ユーザーは、通信端末９を操作することによってシステム制御装置１が設置された場所以外でも照明器具６を制御できる。
【００３４】
さらに、本実施形態によれば、通信部４１は、無線通信を介して第１制御信号を受信する。従って、通信部４１は、配線を介することなくシステム制御装置１に接続することができる。その結果、信号変換ユニット４とシステム制御装置１とを接続するための配線施工が不要であり、コストをさらに減少できる。
【００３５】
さらに、本実施形態によれば、信号変換ユニット４は、第１制御信号を照明制御ユニット５が認識可能な第２制御信号に変換する。従って、照明器具６が第１制御信号を認識できない場合であっても、システム制御装置１は、信号変換ユニット４を介して照明器具６を制御することができる。その結果、既に施設に設置された照明器具６が第１制御信号を認識できない場合であっても、システム制御装置１照明器具を制御させることができる。
【００３６】
さらに、本実施形態によれば、電力システム１００の外部の通信端末１０は、外部ネットワーク１１及びルーター２を介して、第１制御信号及び／又は家電用制御信号を生成するように、システム制御装置１を制御する。従って、信号変換ユニット４は、施設から離れた場所にいるユーザーからの指示に従って、第１制御信号を第２制御信号に変換することができる。
【００３７】
さらに、本実施形態によれば、電力システム１００の外部の通信端末１０は、第１制御信号を生成し、信号変換ユニット４に第１制御信号を送信することができる。従って、信号変換ユニット４は、施設から離れた場所にいるユーザーからの指示に従って、第１制御信号を第２制御信号に変換することができる。
【００３８】
次に、図２を参照して、照明システム２００について詳細に説明する。システム制御装置１は、例えば、固定端末である。例えば、システム制御装置１は、ユーザーの指示に従って第１制御信号を生成する。また、例えば、システム制御装置１は、時刻に合わせて第１制御信号を生成する。さらに、例えば、システム制御装置１は、検知部を含み、検知部が施設内にいる人間を検知することに応じて第１制御信号を生成する。システム制御装置１が生成する第１制御信号は、たとえば、ＥＣＨＯＮＥＴ  Ｌｉｔｅ（登録商標）などの通信プロトコルに従った信号である。ＥＣＨＯＮＥＴ  Ｌｉｔｅは、施設内の有線又は無線等を利用したネットワークの規格である。
【００３９】
第１制御信号は、照明器具６の制御情報を示す。照明器具６の制御情報は、例えば、照明器具６の点灯、消灯、光量、及び／又は光色（例えば、相関色温度）を示す。また、システム制御装置１は、照明器具６の制御情報として、「シーン」を指示してもよい。システム制御装置１は、複数の「シーン」を記憶する。各「シーン」には、複数の照明器具６の点灯状態が記憶されている。システム制御装置１は、複数の「シーン」のうちから時刻に合わせた「シーン」を選択する。そして、選択された「シーン」の点灯状態を複数の照明器具６が再現するように、システム制御装置１は光量及び／又は光色を示す第１制御信号を生成する。
【００４０】
照明制御装置３は、筐体３ａをさらに備える。筐体３ａは、信号変換ユニット４と照明制御ユニット５とを収容する。なお、信号変換ユニット４と照明制御ユニット５とをそれぞれ異なる筐体に収容してもよい。この場合、信号変換ユニット４を収容する筐体は、例えば施設内の壁に埋設される。従って、信号変換ユニット４の壁からの突出量を抑制できる。また、照明制御ユニット５を収容する筐体は、例えば施設内の壁に埋設されてもよいし、可搬型であってもよい。
【００４１】
信号変換ユニット４は、報知部４３、センサー４４、及び入力部４５をさらに含む。
【００４２】
通信部４１は、例えば通信インターフェースである。変換部４２は、例えば、マイクロコンピューターであり、メモリーを含む。変換部４２は、メモリーに記憶されたプログラムを実行することによって、数値計算、情報処理、及び機器制御のような様々な処理を行う。メモリーは、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び／又はＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）によって構成される。変換部４２は、例えば、ＥＣＨＯＮＥＴ  Ｌｉｔｅなどの通信プロトコルに従った第１制御信号を、照明制御ユニット５が認識可能なプロトコルに従った第２制御信号に変換する。従って、第１制御信号と同様に、第２制御信号は、照明器具６の制御情報を示す。すなわち、第２制御信号が示す照明器具６の制御情報は、例えば、照明器具６の点灯、消灯、光量、及び／又は光色（例えば、相関色温度）を示す。
【００４３】
報知部４３は、信号変換ユニット４の通電状態及び／又は通信状態を報知する。報知部４３は、例えば、ＬＥＤのような照明素子である。例えば、信号変換ユニット４が通電しているとき、報知部４３は点灯する。また、例えば、信号変換ユニット４がルーター２又は照明制御ユニット５と通信可能な状態であるとき、報知部４３は点灯する。ここで、報知部４３は、点滅することによって信号変換ユニット４の通電状態及び／又は通信状態を報知してもよい。また、報知部４３は、信号変換ユニット４の通電状態及び非通電状態、並びに信号変換ユニット４の通信状態に応じて異なる色で点灯することによって信号変換ユニット４の通電状態及び／又は通信状態を報知してもよい。
【００４４】
センサー４４は、信号変換ユニット４の周囲環境の変化又は赤外線を検知する。センサー４４は、例えば、人感センサー、照度センサー、又は生体認証センサーである。人感センサーは、人又は動物などが放射する赤外線を検知する。照度センサーは、周囲環境の明るさを検知する。生体認証センサーは、指紋又は虹彩のような身体的特徴を検知する。例えば、センサー４４は、照明制御装置３が設置された室内に入室したユーザーを検知する。
【００４５】
変換部４２は、センサー４４の検知信号に基づいて、照明器具６の制御情報を示す第３制御信号を生成する。具体的には、第３制御信号は、第２通信プロトコルに準拠した信号形式を有する。そして、通信部４１は、照明制御ユニット５に第３制御信号を送信する。照明制御ユニット５の通信部５１は、第３制御信号を受信する。制御部５２は、通信部５１が受信した第３制御信号に従って、複数の照明器具６を制御する。
【００４６】
入力部４５は、ユーザーインターフェースであり、例えば、押しボタンである。信号変換ユニット４の施工時に、ユーザーは、入力部４５を押下することによって、入力部４５を介してルーター２及び／又は照明制御ユニット５と信号変換ユニット４との接続を指示する。ユーザーによる接続指示は、入力部４５を介して通信部４１に入力される。通信部４１は、ユーザーによる接続指示に従って、ルーター２及び／又は照明制御ユニット５と接続する。
【００４７】
照明制御ユニット５は、例えば４線式（２つの信号線と２つの電源線とを接続する形式）のコントローラーである。照明制御ユニット５は、電力線を介して複数の照明器具６と接続する。照明制御ユニット５の通信部５１は、例えば通信インターフェースである。
【００４８】
照明制御ユニット５の制御部５２は、例えば、マイクロコンピューターであり、メモリーを含む。制御部５２は、メモリーに記憶されたプログラムを実行することによって、数値計算、情報処理、及び機器制御のような様々な処理を行う。メモリーは、例えば、ＲＯＭ、ＲＡＭ、及び／又はＥＥＰＲＯＭによって構成される。制御部５２は、第２制御信号及び／又は第３制御信号に従って、分電盤７（図１参照）から供給された外部電力（具体的には外部電源電圧の波形）を制御して照明器具６に供給する。
【００４９】
照明制御ユニット５は、操作部５３をさらに備える。操作部５３は、ユーザーインターフェースであり、例えば、押しボタンである。なお、操作部５３はタッチパネルで形成されてもよい。ユーザーは、操作部５３を操作することによって、照明器具６から発生する光の光量及び光色の少なくとも一方の変更を指示することができる。また、ユーザーは、操作部５３を操作することによって、複数の「シーン」のうちから１つの「シーン」を指示することができる。ユーザーによる指示は、操作部５３を介して制御部５２に入力される。制御部５２は、ユーザーからの指示に従って複数の照明器具６を制御する。また、制御部５２は、複数の照明器具６の各々を個別に制御することができる。
【００５０】
照明器具６は、照明素子として、互いに光色の異なる光を出射する複数色のＬＥＤを含んでもよい。例えば照明素子として、５０００ケルビン（寒色）のＬＥＤと２７００ケルビン（暖色）のＬＥＤとを使用することができる。従って、互いに光色の異なるＬＥＤを使用することで、調光調色制御を実現することができる。
【００５１】
以上、図２を参照して説明したように、本実施形態によれば、報知部４３は、照明素子であり、点灯することによって、信号変換ユニット４の通電状態及び／又は通信状態を報知する。従って、ユーザーは、信号変換ユニット４の通電状態及び／又は通信状態を目視で判別できる。
【００５２】
また、本実施形態によれば、信号変換ユニット４の施工時に、ユーザーは、入力部４５を押下することによって、ルーター２及び／又は照明制御ユニット５と信号変換ユニット４との接続を指示する。そして、通信部４１は、接続指示に従って、ルーター２及び／又は照明制御ユニット５と接続する。従って、信号変換ユニット４の施工時に、ユーザーは、入力部４５を押下するだけで、ルーター２及び／又は照明制御ユニット５と信号変換ユニット４とを接続することができる。すなわち、ユーザーは、容易な操作でルーター２及び／又は照明制御ユニット５と信号変換ユニット４とを接続することができる。
【００５３】
さらに、本実施形態によれば、照明制御装置３の筐体３ａは、信号変換ユニット４と照明制御ユニット５とを収容する。従って、信号変換ユニット４を収容する筐体と、照明制御ユニット５を収容する筐体とを別々に設けることなく、信号変換ユニット４と照明制御ユニット５とを収容できる。その結果、部品点数を削減できるため、コストを低減できると伴に、照明制御装置３の組立工数を削減できる。
【００５４】
（第１変形例）
図１及び図３を参照して、本発明の実施形態の第１変形例に係る電力システム１００を説明する。第１変形例に係る電力システム１００の通信端末９が調光部９２及び調色部９５を表示する点で、第１変形例は図１及び図２を参照して説明した本実施形態と主に異なる。以下、第１変形例が本実施形態と異なる点を主に説明する。
【００５５】
図３は、第１変形例に係る電力システム１００の通信端末９を示す図である。図１及び図３に示すように、通信端末９は表示部９１を含む。表示部９１は、各種情報を表示するとともに、表示部９１に対するユーザーのタッチ位置を検出する。従って、ユーザーは、表示部９１にタッチして通信端末９を操作する。例えば、表示部９１は、タッチパネルである。
【００５６】
表示部９１は調光部９２を表示する。調光部９２は、調光バー９３と、調光操作子９４とを含む。
【００５７】
調光バー９３は、照明器具６の出射する光の光量を表す。調光バー９３は、一直線に延びた帯状である。調光バー９３の長さは一定である。具体的には、調光バー９３は、第１バー９３ａと、第２バー９３ｂとを含む。調光操作子９４が第１バー９３ａと第２バー９３ｂとの境界を規定する。従って、調光操作子９４の位置に応じて、第１バー９３ａ及び第２バー９３ｂの各々は伸縮する。そして、第１バー９３ａと第２バー９３ｂとのうち、第１バー９３ａが、照明器具６の出射する光の光量を表す。
【００５８】
具体的には、第１バー９３ａの長さが長い程、照明器具６の光の光量が大きいことを示す。つまり、第１バー９３ａの長さが長い程、照明器具６の光が明るくなることを示す。従って、ユーザーは、第１バー９３ａの長さによって、照明器具６の明るさの度合い（明暗）を容易に把握できる。
【００５９】
第１バー９３ａ及び第２バー９３ｂの各々の色彩は単色である。第１バー９３ａの色彩の明度は、調光部９２及び調色部９５の背景９７の色彩の明度よりも高い。従って、第１変形例によれば、第１バーの色彩の明度が背景の色彩の明度よりも低い場合と比較して、ユーザーにとって、第１バー９３ａの認識が更に容易になる。その結果、ユーザーは、第１バー９３ａの長さによって、照明器具６の明るさの度合い（明暗）を更に容易に把握できる。特に、調光について専門知識を有していないエンドユーザーにとって、照明器具６の明るさの度合い（明暗）の把握が容易になる。
【００６０】
また、第１バー９３ａの色彩の明度は、第２バー９３ｂの色彩の明度よりも高い。従って、ユーザーにとって、第１バー９３ａの認識が更に容易になって、ユーザーは、第１バー９３ａの長さによって、照明器具６の明るさの度合い（明暗）を更に容易に把握できる。
【００６１】
さらに、第２バー９３ｂの色彩の明度が、背景９７の色彩の明度よりも高いことが好ましい。ユーザーが、調光バー９３の全長（第１バー９３ａの長さ＋第２バー９３ｂの長さ）で表される最大調光レベルに対する現在の調光レベル（第１バー９３ａの長さ）を容易に把握できるからである。なお、第１バー９３ａ及び第２バー９３ｂの各々の色彩は多色であってもよい。
【００６２】
調光操作子９４は、照明器具６の出射する光の光量を調節する。調光操作子９４は、ユーザーのタッチ操作によって、調光バー９３上を移動する。調光操作子９４の位置に応じて、第１バー９３ａの長さが変化する。第１変形例では、第１バー９３ａの長さに比例して、照明器具６の光量（輝度）が調節される。従って、ユーザーは、第１バー９３ａを見ながら調光操作子９４を操作することによって、照明器具６の光の光量を所望の光量に容易に調節できる。特に、調光について専門知識を有していないエンドユーザーにとって光量の調節が容易になる。
【００６３】
具体的には、通信端末９は、調光操作子９４の位置に応じた光量を示す第１制御信号を生成する。そして、通信端末９は、ルーター２を介して第１制御信号を信号変換ユニット４に送信する。従って、第１制御信号が第２制御信号に変換される。その結果、照明器具６の光の光量が調光操作子９４の位置に応じた光量になるように、照明制御ユニット５は照明器具６を制御する。
【００６４】
表示部９１は調色部９５を表示する。調色部９５は、調色バー９５ａと、調色操作子９５ｂとを含む。
【００６５】
調色バー９５ａは、照明器具６の出射する光の光色を表す。調色バー９５ａは、一直線に延びた帯状である。調色バー９５ａは、色彩のグラデーションにより、光色の変化を表している。第１変形例では、調色バー９５ａの色彩は、例えば左端から右端に向かって寒色から暖色まで連続的に変化している。図３では、調色バー９５ａの色彩の変化をドットハッチングの濃淡で表している。寒色は、人間に寒い感じを与える色彩であり、青みの多い色相を有する。暖色は、人間に温かい感じを与える色彩であり、赤みの多い色相を示す。従って、寒色は比較的高い色温度を示し、暖色は比較的低い色温度を示す。調色バー９５ａの青みが強い程、高い色温度を示し、調色バー９５ａの赤みが強い程、低い色温度を示す。
【００６６】
調色バー９５ａの色彩の明度（例えば、調色バー９５ａの色彩の明度の平均値）は、背景９７の色彩の明度よりも高い。従って、第２変形例によれば、調色バーの色彩の明度が背景の色彩の明度よりも低い場合と比較して、ユーザーにとって、調色バー９５ａの認識が更に容易になる。
【００６７】
調色操作子９５ｂは、照明器具６の出射する光の光色を調節する。調色操作子９５ｂは、ユーザーのタッチ操作によって、調色バー９５ａ上を移動する。調色操作子９５ｂの位置に応じて照明器具６の光色が調節される。第１変形例では、調色バー９５ａのうち調色操作子９５ｂの位置する領域の色彩と、照明器具６の光の光色とが連携するように、照明器具６の光の光色が調節される。従って、調色バーの色彩が単色である場合と比較して、ユーザーは、直感的な操作によって照明器具６の光の光色を容易に調節できる。特に、調色について専門知識を有していないエンドユーザーにとって光色の調節が容易になる。
【００６８】
具体的には、通信端末９は、調色バー９５ａのうち調色操作子９５ｂの位置する領域の色彩に応じた光色を示す第１制御信号を生成する。そして、通信端末９は、ルーター２を介して第１制御信号を信号変換ユニット４に送信する。従って、第１制御信号が第２制御信号に変換される。その結果、照明器具６の光の光色が調色操作子９５ｂの位置に応じた光色になるように、照明制御ユニット５は照明器具６を制御する。
【００６９】
以上、図３を参照して説明したように、第１変形例によれば、調光バー９３（特に第１バー９３ａ）の配色と調色バー９５ａの配色とが異なる。従って、調光バーの配色と調色バーの配色とが同一又は近似している場合と比較して、ユーザーは、調光バー９３（特に第１バー９３ａ）と調色バー９５ａとを外観によって容易に識別できる。その結果、ユーザーは、照明器具６の光の光量と光色とを明確に区別して認識できる。また、調光操作子９４及び調色操作子９５ｂのタッチ操作によって、照明器具６の光の光量と光色とを明確に区別して調節できる。特に、調光及び調色について専門知識を有していないエンドユーザーにとって、光量及び光色の調節が容易になる。
【００７０】
なお、調色バー９５ａの色彩は、光色の違いを認識できる限りにおいては、寒色から暖色まで連続的に変化していることに限定されない。例えば、調色バー９５ａの色彩は、寒色から暖色まで段階的に変化していてもよい。例えば、調色バー９５ａの色彩は、白色から暖色に向かって連続的又は段階的に変化していてもよい。
【００７１】
また、表示部９１は、ユーザーが調光操作子９４をタッチしたときに、調光操作子９４に対して吹き出し画像（以下、「吹き出し画像ＩＭ１」と記載する。）を表示してもよい。吹き出し画像ＩＭ１は、調光操作子９４の位置に応じた光量のレベルを示す光量情報を含む。光量情報は、例えば、光量の複数段階（例えば２０段階）のうちのいずれかの段階を示す数字であってもよいし、光量を百分率で示す数字であってもよい。また、表示部９１は、調光操作子９４の移動に応じて、吹き出し画像ＩＭ１に含まれる光量情報を変更する。ユーザーは、吹き出し画像ＩＭ１によって、照明器具６の光量を容易に把握できる。
【００７２】
さらに、表示部９１は、ユーザーが調色操作子９５ｂをタッチしたときに、調色操作子９５ｂに対して吹き出し画像（以下、「吹き出し画像ＩＭ２」と記載する。）を表示してもよい。吹き出し画像ＩＭ２は、調色操作子９５ｂの位置に応じた光色を示す光色情報を含む。光色情報は、例えば、光色の複数段階（例えば２０段階）のうちのいずれかの段階を示す数字であってもよいし、光色に対応する色温度を示す数字であってもよいし、光色に対応する色温度を示す色彩であってもよい。また、表示部９１は、調色操作子９５ｂの移動に応じて、吹き出し画像に含まれる光色情報を変更する。ユーザーは、吹き出し画像ＩＭ２によって、照明器具６の光色を容易に把握できる。
【００７３】
なお、吹き出し画像ＩＭ１及び吹き出し画像ＩＭ２を表示しない場合は、通信端末９にインストールされたソフトウェアの更新作業が軽減され得る。例えば、照明器具６が変更されると、変更後の照明器具６に応じて、吹き出し画像ＩＭ１に含まれる光量情報及び／又は吹き出し画像ＩＭ２に含まれる光色情報の更新作業が発生し得る。しかし、吹き出し画像ＩＭ１及び吹き出し画像ＩＭ２を表示しない場合は、吹き出し画像ＩＭ１及び吹き出し画像ＩＭ２を処理するソフトウェアの更新作業が発生しないため、通信端末９のメンテナンスが容易である。
【００７４】
（第２変形例）
図４を参照して、本発明の実施形態の第２変形例に係る電力システム１００を説明する。第２変形例に係る電力システム１００の通信端末９が円形状の調光アイコン１０３及び調色アイコン１１２を表示する点で、第２変形例は第１変形例と主に異なる。以下、第２変形例が第１変形例と異なる点を主に説明する。
【００７５】
図４は、第２変形例に係る電力システム１００の通信端末９を示す図である。図４に示すように、表示部９１は調光部１０２を表示する。調光部１０２は、調光アイコン１０３と、調光操作子１０４とを含む。
【００７６】
調光アイコン１０３は、照明器具６の出射する光の光量を表す。調光アイコン１０３は円形状である。具体的には、調光アイコン１０３は、調光領域１０３ａと、非調光領域１０３ｂとを含む。調光操作子１０４は、直線状であり、調光領域１０３ａと非調光領域１０３ｂとの境界を規定する。従って、調光操作子１０４の回転位置に応じて、調光領域１０３ａ及び非調光領域１０３ｂの各々の面積は変化する。そして、調光領域１０３ａと非調光領域１０３ｂとのうち、調光領域１０３ａの面積が、照明器具６の出射する光の光量を表す。
【００７７】
具体的には、調光領域１０３ａの面積が大きい程、照明器具６の光の光量が大きいことを示す。従って、ユーザーは、調光領域１０３ａの大きさによって、照明器具６の明るさの度合い（明暗）を容易に把握できる。
【００７８】
調光領域１０３ａ及び非調光領域１０３ｂの各々の色彩は単色である。調光領域１０３ａの色彩の明度は、調光部１０２及び調色部１１０の背景９７の色彩の明度よりも高い。従って、第２変形例によれば、調光領域の色彩の明度が背景の色彩の明度よりも低い場合と比較して、ユーザーにとって、調光領域１０３ａの認識が更に容易になる。その結果、ユーザーは、調光領域１０３ａの大きさによって、照明器具６の明るさの度合い（明暗）を更に容易に把握できる。
【００７９】
また、調光領域１０３ａの色彩の明度は、非調光領域１０３ｂの色彩の明度よりも高い。従って、ユーザーにとって、調光領域１０３ａの認識が更に容易になる。
【００８０】
さらに、非調光領域１０３ｂの色彩の明度が、背景９７の色彩の明度よりも高いことが好ましい。ユーザーが、調光アイコン１０３の全領域（調光領域１０３ａ＋非調光領域１０３ｂ）で表される最大調光レベルに対する現在の調光レベル（調光領域１０３ａの面積）を容易に把握できるからである。なお、調光領域１０３ａ及び非調光領域１０３ｂの各々の色彩は多色であってもよい。
【００８１】
調光操作子１０４は、照明器具６の出射する光の光量を調節する。調光操作子１０４は、ユーザーのタッチ操作によって、基準線１０５を始点として調光アイコン１０３の中心を軸にして回転する。調光操作子１０４の回転位置に応じて、調光領域１０３ａの面積が変化する。第２変形例では、調光領域１０３ａの面積に比例して、照明器具６の光量（輝度）が調節される。従って、ユーザーは、調光領域１０３ａを見ながら調光操作子１０４を操作することによって、照明器具６の光の光量を所望の光量に容易に調節できる。
【００８２】
具体的には、通信端末９は、調光操作子１０４の回転位置に応じた光量を示す第１制御信号を生成して、第１変形例と同様に、照明制御ユニット５を介して、照明器具６の光量を制御する。
【００８３】
表示部９１は調色部１１０を表示する。調色部１１０は、調色アイコン１１２と、調色操作子１１４とを含む。
【００８４】
調色アイコン１１２は、照明器具６の出射する光の光色を表す。調色アイコン１１２は円形状である。具体的には、調色アイコン１１２は、調色領域１１２ａと、非調色領域１１２ｂとを含む。調色操作子１１４は、直線状であり、調色領域１１２ａと非調色領域１１２ｂとの境界を規定する。従って、調色操作子１１４の回転位置に応じて、調色領域１１２ａ及び非調色領域１１２ｂの各々の面積は変化する。そして、調色領域１１２ａと非調色領域１１２ｂとのうち、調色領域１１２ａが、照明器具６の出射する光の光色を表す。
【００８５】
調色領域１１２ａは、色彩のグラデーションにより、光色の変化を表している。第２変形例では、調色領域１１２ａの色彩は、例えば基準線１１５から調色操作子１１４に向かって寒色から暖色まで連続的に変化している。図４では、調色領域１１２ａの色彩の変化をドットハッチングの濃淡で表している。調色領域１１２ａの色彩のうち、調色操作子１１４の近傍の色彩が、現在の光色を表している。非調色領域１１２ｂの色彩は単色である。なお、非調色領域１１２ｂの色彩は多色であってもよい。
【００８６】
調色領域１１２ａの色彩の明度（例えば、調色領域１１２ａの色彩の明度の平均値）は、背景９７の色彩の明度よりも高い。従って、第２変形例によれば、調色領域の色彩の明度が背景の色彩の明度よりも低い場合と比較して、ユーザーにとって、調色領域１１２ａの認識が更に容易になる。
【００８７】
また、調色領域１１２ａの色彩の明度（例えば、調色領域１１２ａの色彩の明度の平均値）は、非調色領域１１２ｂの色彩の明度よりも高い。従って、ユーザーにとって、調色領域１１２ａの認識が更に容易になる。
【００８８】
さらに、非調色領域１１２ｂの色彩の明度が、背景９７の色彩の明度よりも高いことが好ましい。調色アイコン１１２の全体が背景９７よりも更に目立つため、ユーザーが調色部１１０を更に識別し易くなる。
【００８９】
調色操作子１１４は、照明器具６の出射する光の光色を調節する。調色操作子１１４は、ユーザーのタッチ操作によって、基準線１１５を始点として調色アイコン１１２の中心を軸にして回転する。調色操作子１１４の回転位置に応じて照明器具６の光色が調節される。第２変形例では、調色領域１１２ａの色彩のうち調色操作子１１４の近傍の色彩と、照明器具６の光の光色とが連携するように、照明器具６の光の光色が調節される。従って、調色領域の色彩が単色である場合と比較して、ユーザーは、直感的な操作によって照明器具６の光の光色を容易に調節できる。
【００９０】
具体的には、通信端末９は、調色領域１１２ａの色彩のうち調色操作子１１４の近傍の色彩に応じた光色を示す第１制御信号を生成して、第１変形例と同様に、照明制御ユニット５を介して、照明器具６の光色を制御する。
【００９１】
以上、図４を参照して説明したように、第２変形例によれば、調光アイコン１０３（特に調光領域１０３ａ）の配色と調色アイコン１１２（特に調色領域１１２ａ）の配色とが異なる。従って、調光アイコンの配色と調色アイコンの配色とが同一又は近似している場合と比較して、ユーザーは、調光アイコン１０３（特に調光領域１０３ａ）と調色アイコン１１２（特に調色領域１１２ａ）とを外観によって容易に識別できる。その結果、ユーザーは、照明器具６の光の光量と光色とを明確に区別して認識できる。また、調光操作子１０４及び調色操作子１１４のタッチ操作によって、照明器具６の光の光量と光色とを明確に区別して調節できる。
【００９２】
なお、調色領域１１２ａの色彩は、光色の違いを認識できる限りにおいては、寒色から暖色まで連続的に変化していることに限定されない。この点は、第１変形例の調色バー９５ａの色彩と同様である。
【００９３】
また、表示部９１は、第１変形例と同様に、調光操作子１０４に対して吹き出し画像ＩＭ１を表示してもよいし、調色操作子１１４に対して吹き出し画像ＩＭ２を表示してもよい。なお、吹き出し画像ＩＭ１及び吹き出し画像ＩＭ２を表示しない場合の効果は第１変形例と同様である。
【００９４】
（第３変形例）
図５を参照して、本発明の実施形態の第３変形例に係る電力システム１００を説明する。第３変形例に係る電力システム１００の通信端末９が円帯状の調光アイコン１０３及び調色アイコン１１２を表示する点で、第３変形例は第２変形例と主に異なる。以下、第３変形例が第２変形例と異なる点を主に説明する。
【００９５】
図５は、第３変形例に係る電力システム１００の通信端末９を示す図である。図５に示すように、調光部１０２は、調光アイコン１０３と、調光操作子１０４と、中央アイコン１０６とを含む。調光アイコン１０３は円帯状である。中央アイコン１０６は円形状である。中央アイコン１０６は、調光アイコン１０３に囲まれており、調光部１０２の中心に配置される。中央アイコン１０６は、第１変形例及び第２変形例の吹き出し画像ＩＭ１と同様に、調光操作子１０４の回転位置に応じた光量のレベルを示す光量情報を含んでいてもよい。光量情報は、吹き出し画像ＩＭ１に含まれる光量情報と同様である。
【００９６】
調色部１１０は、調色アイコン１１２と、調色操作子１１４と、中央アイコン１１６とを含む。調色アイコン１１２は、円帯形状である。中央アイコン１１６は円形状である。中央アイコン１１６は、調色アイコン１１２に囲まれており、調色部１１０の中心に配置される。中央アイコン１１６は、第１変形例及び第２変形例の吹き出し画像ＩＭ２と同様に、調色操作子１１４の回転位置に応じた光色のレベルを示す光色情報を含んでいてもよい。光色情報は、吹き出し画像ＩＭ２に含まれる光色情報と同様である。
【００９７】
（第４変形例）
図６を参照して、本発明の実施形態の第４変形例に係る電力システム１００を説明する。第４変形例に係る電力システム１００の通信端末９が複数の調光セグメント２０４を含む調光部２０２及び複数の調色セグメント２１２を含む調色部２１０を表示する点で、第４変形例は第１変形例と主に異なる。以下、第４変形例が第１変形例と異なる点を主に説明する。
【００９８】
図６は、第４変形例に係る電力システム１００の通信端末９を示す図である。図６に示すように、表示部９１は調光部２０２を表示する。調光部２０２は、第１所定数ＮＭ１の調光セグメント２０４を含む。第１所定数ＮＭ１は２以上の整数である。第１所定数ＮＭ１の調光セグメント２０４は、等間隔で一直線上に並んでいる。調光セグメント２０４の各々は、例えば、矩形状である。
【００９９】
各調光セグメント２０４は、調光領域２０６及び非調光領域２０８のうちのいずれかに属する。調光領域２０６は、照明器具６の出射する光の光量を表す。表示部９１は、調光領域２０６に属する調光セグメント２０４を第１色彩で表示する。第１色彩は単色である。また、表示部９１は、非調光領域２０８に属する調光セグメント２０４を第２色彩で表示する。第２色彩は単色である。調光領域２０６の第１色彩と非調光領域２０８の第２色彩とは異なる。調光領域２０６の長さが長い程、つまり、調光領域２０６に含まれる調光セグメント２０４の数が多い程、照明器具６の光の光量が大きいことを示す。従って、ユーザーは、調光領域２０６の長さによって、照明器具６の明るさの度合い（明暗）を容易に把握できる。なお、第１色彩及び第２色彩の各々は多色であってもよい。
【０１００】
表示部９１は、調光部２０２にタッチした指ＦＧのタッチ位置に応じて、調光領域２０６の長さを拡大又は縮小する。具体的には、調光部２０２において、指ＦＧのタッチ位置が方向Ｄ１に移動すると、調光領域２０６の長さが拡大され、第１色彩を有する調光セグメント２０４が増加する。一方、調光部２０２において、指ＦＧのタッチ位置が方向Ｄ２に移動すると、調光領域２０６の長さが縮小され、第１色彩を有する調光セグメント２０４が減少する。指ＦＧのタッチ位置が、調光領域２０６と非調光領域２０８との境界を規定する。
【０１０１】
調光領域２０６の第１色彩の明度は、調光部２０２及び調色部２１０の背景９７の色彩の明度よりも高い。従って、第４変形例によれば、調光領域の第１色彩の明度が背景の色彩の明度よりも低い場合と比較して、ユーザーにとって、調光領域２０６の認識が更に容易になる。その結果、ユーザーは、調光領域２０６の長さによって、照明器具６の明るさの度合い（明暗）を更に容易に把握できる。
【０１０２】
また、調光領域２０６の第１色彩の明度は、非調光領域２０８の第２色彩の明度よりも高い。従って、ユーザーにとって、調光領域２０６の認識が更に容易になる。
【０１０３】
さらに、非調光領域２０８の第２色彩の明度が、背景９７の色彩の明度よりも高いことが好ましい。ユーザーが、調光部２０２の全長（調光領域２０６の長さ＋非調光領域２０８の長さ）で表される最大調光レベルに対する現在の調光レベル（調光領域２０６の長さ）を容易に把握できるからである。
【０１０４】
第４変形例では、調光領域２０６の長さに比例して、つまり、第１色彩の調光セグメント２０４の数に比例して、照明器具６の光量（輝度）が調節される。従って、ユーザーは、調光領域２０６を見ながら指ＦＧのタッチ位置を移動することによって、照明器具６の光の光量を所望の光量に容易に調節できる。
【０１０５】
具体的には、通信端末９は、調光部２０２上の指ＦＧのタッチ位置に応じた光量を示す第１制御信号を生成して、第１変形例と同様に、照明制御ユニット５を介して、照明器具６の光量を制御する。
【０１０６】
表示部９１は調色部２１０を表示する。調色部２１０は、第２所定数ＮＭ２の調色セグメント２１２を含む。第２所定数ＮＭ２は２以上の整数である。第４変形例では、第２所定数ＮＭ２は第１所定数ＮＭ１と同じである。第２所定数ＮＭ２の調色セグメント２１２は、等間隔で一直線上に並んでいる。調色セグメント２１２の各々は、例えば、矩形状である。
【０１０７】
各調色セグメント２１２は、調色領域２１４及び非調色領域２１６のうちのいずれかに属する。調色領域２１４は、照明器具６の出射する光の光色を表す。表示部９１は、調色領域２１４に属する複数の調色セグメント２１２を、色彩のグラデーションを形成するように表示する。その結果、調色領域２１４は、色彩のグラデーションにより、光色の変化を表す。第４変形例では、調色領域２１４に属する複数の調色セグメント２１２の色彩は、例えば下端から上端に向かって寒色から暖色まで連続的に変化している。図６では、調色領域２１４の色彩の変化をドットハッチングの濃淡で表している。
【０１０８】
調色領域２１４に属する調色セグメント２１２のうち、上端に位置する調色セグメント２１２の色彩が、現在の光色を表している。非調色領域２１６に属する調色セグメント２１２の色彩は単色である。なお、非調色領域２１６に属する調色セグメント２１２の色彩は多色であってもよい。
【０１０９】
調色領域２１４の色彩の明度（例えば、調色領域２１４に属する調色セグメント２１２の色彩の明度の平均値）は、背景９７の色彩の明度よりも高い。従って、第４変形例によれば、調色領域の色彩の明度が背景の色彩の明度よりも低い場合と比較して、ユーザーにとって、調色領域２１４の認識が更に容易になる。
【０１１０】
また、調色領域２１４の色彩の明度（例えば、調色領域２１４に属する調色セグメント２１２の色彩の明度の平均値）は、非調色領域２１６の色彩の明度よりも高い。従って、ユーザーにとって、調色領域２１４の認識が更に容易になる。
【０１１１】
さらに、非調色領域２１６の色彩の明度が、背景９７の色彩の明度よりも高いことが好ましい。調色部２１０の全体が背景９７よりも更に目立つため、ユーザーが調色部２１０を更に識別し易くなる。
【０１１２】
表示部９１は、調色部２１０にタッチした指ＦＧのタッチ位置に応じて、調色領域２１４の長さを拡大又は縮小する。具体的には、調色部２１０において、指ＦＧのタッチ位置が方向Ｄ１に移動すると、調色領域２１４の長さが拡大される。一方、調色部２１０において、指ＦＧのタッチ位置が方向Ｄ２に移動すると、調色領域２１４の長さが縮小される。指ＦＧのタッチ位置が、調色領域２１４と非調色領域２１６との境界を規定する。
【０１１３】
第４変形例では、調色領域２１４に属する調色セグメント２１２のうち、上端に位置する調色セグメント２１２の色彩と、照明器具６の光の光色とが連携するように、照明器具６の光の光色が調節される。従って、ユーザーは、調色領域２１４を見ながら指ＦＧのタッチ位置を移動することによって、照明器具６の光の光色を所望の光色に容易に調節できる。
【０１１４】
具体的には、通信端末９は、調色部２１０上の指ＦＧのタッチ位置に応じた光色を示す第１制御信号を生成して、第１変形例と同様に、照明制御ユニット５を介して、照明器具６の光色を制御する。
【０１１５】
以上、図６を参照して説明したように、第４変形例によれば、調光部２０２（具体的には調光領域２０６）の配色と調色部２１０（具体的には調色領域２１４）の配色とが異なる。従って、調光部の配色と調色部の配色とが同一又は近似している場合と比較して、ユーザーは、調光部２０２（具体的には調光領域２０６）と調色部２１０（具体的には調色領域２１４）とを外観によって容易に識別できる。その結果、ユーザーは、照明器具６の光の光量と光色とを明確に区別して認識できる。また、指ＦＧのタッチ位置によって、照明器具６の光の光量と光色とを明確に区別して調節できる。
【０１１６】
なお、調色領域２１４の色彩は、光色の違いを認識できる限りにおいては、寒色から暖色まで連続的に変化していることに限定されない。この点は、第１変形例の調色バー９５ａの色彩と同様である。
【０１１７】
また、表示部９１は、第１変形例と同様に、調光部２０２上の指ＦＧのタッチ位置に対して吹き出し画像ＩＭ１を表示してもよいし、調色部２１０上の指ＦＧのタッチ位置に対して吹き出し画像ＩＭ２を表示してもよい。なお、吹き出し画像ＩＭ１及び吹き出し画像ＩＭ２を表示しない場合の効果は第１変形例と同様である。
【０１１８】
なお、図１に示す通信端末１０が、第１変形例〜第４変形例のうちのいずれかの通信端末９と同様に機能してもよい。つまり、通信端末１０が表示部９１と同様の表示部を含み、表示部が調光部９２、１０２、２０２及び調色部９５、１１０、２１０と同様の調光部及び調色部を表示してもよい。また、図２に示す照明制御ユニット５の操作部５３は、調光部９２、１０２、２０２及び調色部９５、１１０、２１０と同様の調光部及び調色部を表示することもできる。
【０１１９】
以上、図面を参照しながら本発明の実施形態（変形例を含む。）について説明した。但し、本発明は、上記の実施形態に限られるものではなく、その要旨を逸脱しない範囲で種々の態様において実施することが可能である（例えば、下記に示す（１）〜（８））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１２０】
（１）図２を参照して説明したように、本実施形態では、照明制御ユニット５は４線式であったが、４線式には限定されず、照明制御ユニット５が複数の照明器具６を制御可能である限り、照明制御ユニット５は、例えば、２線式（２つの信号線のみを接続する形式）であってもよい。
【０１２１】
（２）図１を参照して説明したように、本実施形態では、分電盤７は、信号変換ユニット４、照明制御ユニット５、及び複数の家電８に、外部電力を供給した。ただし、分電盤７には太陽光発電システムが接続されていてもよく、分電盤７は、太陽光発電システムで生成された電力を信号変換ユニット４、照明制御ユニット５、及び複数の家電８に供給してもよい。
【０１２２】
（３）図２を参照して説明したように、本実施形態では、照明器具６が、照明素子として、互いに光色の異なる光を出射する２色のＬＥＤを有したが、照明器具６が点灯する限り、照明器具６は１色のＬＥＤのみを有してもよい。この場合、調光制御のみが実施される。
【０１２３】
（４）図２を参照して説明したように、本実施形態では、報知部４３がＬＥＤであったが、報知部４３が点灯する限り、報知部４３は、例えば有機ＥＬ素子、白熱電球であってもよい。
【０１２４】
（５）図１及び図２を参照して説明した複数の照明器具６は、各照明器具６にそれぞれ固有のアドレス（宛先）が設定されていてもよい。この場合、システム制御装置１は、アドレスを含めて第１制御信号を生成する。従って制御部５２は、各照明器具６を個別に制御することができる。
【０１２５】
（６）図２を参照して説明したように、本実施形態では、報知部４３は、例えば、ＬＥＤのような照明素子であった。ただし、報知部４３が信号変換ユニット４の通電状態及び／又は通信状態を報知するかぎり、報知部４３は、ブザーのような音声出力素子であってもよい。信号変換ユニット４の通電状態及び／又は通信状態が変化したときに、信号変換ユニット４は、音声を出力することによって、信号変換ユニット４の通電状態及び／又は通信状態の変化を報知してもよい。
【０１２６】
（７）図１を参照して説明したように、本実施形態では、信号変換ユニット４と照明制御ユニット５とは有線接続された。ただし、信号変換ユニット４と照明制御ユニット５とが通信可能である限り、信号変換ユニット４と照明制御ユニット５とは無線接続されてもよい。この場合、信号変換ユニット４の通信部４１は、ルーター２を介して照明制御ユニット５の通信部５１に第２制御信号を送信してもよいし、ブルートゥース（Ｂｌｕｅｔｏｏｔｈ（登録商標））のような無線通信を介して照明制御ユニット５の通信部５１に第２制御信号を送信してもよい。
【０１２７】
（８）図１を参照して説明したように、本実施形態では、照明システム２００は、複数の照明器具６を備えた。ただし、照明システム２００は、単数の照明器具６を備えてもよい。従って、照明制御装置３は、単数又は複数の照明器具６を制御する。
【産業上の利用可能性】
【０１２８】
本発明は、信号変換ユニット、照明制御装置、および照明器具に関するものであり、産業上の利用可能性を有する。
【符号の説明】
【０１２９】
３    信号変換装置
３ａ  筐体
４    信号変換ユニット
４１  通信部
４２  変換部
４３  報知部
４４  センサー
５    照明制御ユニット
５１  通信部
５２  制御部
６    照明器具
【図１】
2018147880.tif 000003
【図２】
2018147880.tif 000004
【図３】
2018147880.tif 000005
【図４】
2018147880.tif 000006
【図５】
2018147880.tif 000007
【図６】
2018147880.tif 000008